(57)【要約】【課題】  既設の換気用グリルにおける埃、塵、油分の付着や、コーティングの有無等に拘わらず、該換気用グリルに確実、且つ容易に取り付けることができるフィルター取付具を提供しようとするものである。【解決手段】  両端が開口した筒状の嵌入部の一端開口縁部にフランジ部が延設された本体を備え、本体のフランジ部が被取付面に対向するように、被取付面に形成された換気用穴に嵌入部が嵌入されて取り付けられた既設の換気用グリルに対し、シート状のフィルターを取り付けるフィルター取付具であって、嵌入部、又はフランジ部の何れか一方に掛止状態で被取付面とフランジとの間に介装されるベースプレートと、空気を流通させる通気穴が形成され、フランジ部を覆うようにベースプレートに対して取り付けられるカバーとを備え、カバーは、フィルターを取り付け可能に構成されてなる。【選択図】図２
2005083710.tif 000002
【特許請求の範囲】
【請求項１】
両端が開口した筒状の嵌入部の一端開口縁部にフランジ部が延設された本体を備え、該本体のフランジ部が被取付面に対向するように、前記被取付面に形成された換気用穴に前記嵌入部が嵌入されて取り付けられた既設の換気用グリルに対し、シート状のフィルターを取り付けるフィルター取付具であって、前記嵌入部、又はフランジ部の何れか一方に掛止状態で前記被取付面とフランジ部との間に介装されるベースプレートと、空気を流通させる通気穴が形成され、前記フランジ部を覆うようにベースプレートに対して取り付けられるカバーとを備え、該カバーは、フィルターを換気用穴と通気穴との間に介在させるように、該フィルターを取り付け可能に構成されてなることを特徴とするフィルター取付具。
【請求項２】
前記ベースプレートには、軸線と直交する方向で嵌入部に嵌め合わされる凹状の被嵌合部が形成されてなる請求項１記載のフィルター取付具。
【請求項３】
前記ベースプレートに連結されて前記被嵌合部の開放部分を閉塞し、ベースプレートとともに前記嵌入部を包囲するサブプレートを更に備えてなる請求項２記載のフィルター取付具。
【請求項４】
前記カバーにフィルターを取り付ける取付体を更に備えるとともに、前記カバーは、フランジ部側に向く内面と間隔を有して対向するように、一端側、及び他端側の縁部から内側に向かって延出した係止片を少なくとも二つ以上備えてなり、前記取付体は、各係止片と内面との間に嵌め込まれる少なくとも二つ以上の取付部と、各取付部同士を連結する弾性変形可能な連結部とで構成され、各係止片と内面との間に各取付部を嵌め込むことで、前記通気穴に対向するフィルターをカバーの内面と連結部とで挟んで保持するように構成されてなる請求項１乃至３の何れかに記載のフィルター取付具。
【発明の詳細な説明】
【技術分野】
【０００１】
本発明は、壁面や天井面等の被取付面に取り付けられた既設の換気用グリルに対してフィルターを取り付けるフィルター取付具に関する。
【背景技術】
【０００２】
従来から室内の換気を行うべく、建家の壁面や天井面等の被取付面に、室内と室外とを連通させる換気用穴が穿設される場合がある。このように換気用穴を形成すると、外気が汚染された場合に室内にその汚れた空気が入ったり、冬季に室内を暖房しているにも拘わらず、外部の冷気が流れ込んだりするため、該換気用穴の開放、及び閉鎖ができるように換気用グリルが取り付けられるのが一般的である。
【０００３】
該換気用グリルは、図１に示す如く、室内と換気用穴Ｈとの空気の流通が可能に構成され、被取付面Ｗに取り付けられる本体５と、該本体５に内装され、室内と換気用穴Ｈとの空気の流通、及び遮断を切り替える開閉機構６とで構成されている。
【０００４】
前記本体５は、前記換気用穴Ｈに嵌入する両端が開口した筒状の嵌入部５０と、該嵌入部５０が換気用穴Ｈに所定深さ以上入り込まないようにすべく、嵌入部５０の一端開口縁部に延設されたフランジ部５１とで構成されている。なお、開閉機構６には、種々の形態のものがあるので、説明は割愛する。
【０００５】
上記構成の換気用グリルＧは、本体５の嵌入部５０を換気用穴Ｈに嵌入することで被取付面Ｗに取り付けることができるようになっている。
【０００６】
ところで、前記換気用グリルＧは、該換気用穴Ｈの開放、及び閉鎖（空気の流通、及び遮断）を行うことができるように構成されているが、空気が流通できる状態で放置すると、室外の塵等が室内に入り込む場合があるため、この既設の換気用グリルＧに除塵用のフィルターを取り付けるフィルター取付具が提供されている。
【０００７】
かかるフィルター取付具は、図４に示す如く、前記フランジ部５１に取り付けられるべース体１００と、前記フィルターＦが取り付けられて前記べース体１００に取り付けられるカバー体１０１とで構成されている。
【０００８】
前記べース体１００は、換気用グリルＧの空気の流通を阻害しないように、ドーナツ状に形成されており、当該べース体１００の穴１０２と換気用穴Ｈとを連通させた状態で、両面粘着テープＴを介して前記フランジ部５１に粘着させるようになっている。
【０００９】
前記カバー体１０１は、べース体１００に螺合して取り付けられるように構成されており、前記べース体１００の穴１０２、及び本体５の穴を介して換気用穴Ｈに空気を流通させる貫通穴１０３が設けられている。さらに、カバー体１０１は、貫通穴１０３と対向するように、内面側に前記フィルターＦを取り付けることができるように構成されており、べース体１００に取り付けることで、フィルターＦを換気用グリルＧに取り付けた態様となるようになっている。
【発明の開示】
【発明が解決しようとする課題】
【００１０】
しかしながら、換気用グリルＧのフランジ部５１に両面粘着テープＴを介してフィルター取付具を取り付けると、該取り付け対象となる換気用グリルＧが既設のものであるため、フランジ部５１に埃や油分等が付着している場合があり、両面粘着テープＴの粘着が機能せず、フィルター取付具が脱落することがある。
【００１１】
また、近年における換気用グリルＧの本体５には、上述した埃、塵、或いは油分の付着を防止すべく、防塵用のコーティングが施されているものがあり、このコーティングの施された換気用グリルＧにおいては、塵や埃等が付着する前にフィルター取付具を取り付けようとしても、両面粘着テープＴの粘着が機能せず、当該フィルター取付具を取り付けることができなかった。
【００１２】
そこで、本発明は、斯かる実情に鑑み、既設の換気用グリルにおける埃、塵、油分の付着や、コーティングの有無等に拘わらず、該換気用グリルに確実、且つ容易に取り付けることができるフィルター取付具を提供しようとするものである。
【課題を解決するための手段】
【００１３】
本発明にかかるフィルター取付具は、両端が開口した筒状の嵌入部の一端開口縁部にフランジ部が延設された本体を備え、該本体のフランジ部が被取付面に対向するように、前記被取付面に形成された換気用穴に前記嵌入部が嵌入されて取り付けられた既設の換気用グリルに対し、シート状のフィルターを取り付けるフィルター取付具であって、前記嵌入部、又はフランジ部の何れか一方に掛止状態で前記被取付面とフランジ部との間に介装されるベースプレートと、空気を流通させる通気穴が形成され、前記フランジ部を覆うようにベースプレートに対して取り付けられるカバーとを備え、該カバーは、フィルターを換気用穴と通気穴との間に介在させるように、該フィルターを取り付け可能に構成されてなることを特徴とする。
【００１４】
上記フィルター取付具によれば、既設の換気用グリルの嵌入部、又はフランジ部に掛止された状態となるように、ベースプレートが被取付面と既設の換気用グリルのフランジ部との間に介装されることで、該ベースプレートは、面と直交する方向（嵌入部の軸線方向）の移動がフランジ部、及び被取付面によって規制され、面方向（嵌入部の軸線と直交する方向）の移動が既設の換気用グリルの掛止によって規制されることになる。これによって、ベースプレートは、脱落が防止された状態で取り付けられることになる。そして、フィルターの取り付けられたカバーを該ベースプレートに取り付けることで、換気用穴と通気穴との間にフィルターが介在した状態で、当該フィルター取付具（フィルター）が既設の換気用グリルに取り付けられた態様となる。つまり、上記フィルター取付具は、既設の換気用グリルに掛止状態で取り付けられたベースプレートを介して、フィルター付きのカバーを取り付けることで、既設の換気用グリルの塵や埃、油分の付着、コーティングの有無によって、粘着性能が低下する両面粘着テープを用いることなく、該換気用グリルに取り付けることができる。
【００１５】
また、本発明の一態様として、前記ベースプレートには、軸線と直交する方向で嵌入部に嵌め合わされる凹状の被嵌合部が形成されてなることが好ましい。このようにすれば、換気用グリルの取り付けられた被取付面が起立した面（例えば、壁面）である場合には、ベースプレートの被嵌合部が換気用グリルの嵌入部の上方から嵌め合わされた状態で、当該ベースプレートは、嵌入部に軸線と直交する方向（下方に向けて）で掛止された状態になる。また、換気用グリルの取り付けられた被取付面が下方に向いた面（例えば、天井面）である場合、ベースプレートを被取付面に沿わせて被嵌合部が換気用グリルの嵌入部に嵌め合わされた状態で、当該ベースプレートは、フランジ部に掛止された状態になる。したがって、被取付面の姿勢に関係なく、簡易な構成でベースプレートを確実に換気用グリルに対して掛止状態にすることができる。
【００１６】
この場合、前記ベースプレートに連結されて前記被嵌合部の開放部分を閉塞し、ベースプレートとともに前記嵌入部を包囲するサブプレートを更に備えてなることが好ましい。このようにすることで、換気用グリルの嵌入部がベースプレート、及びサブプレートに包囲され、ベースプレートにおける嵌入部の軸線と直交する方向への移動が完全に規制された状態となり、ベースプレートの取り付けをいっそう確実なものにすることができる。
【００１７】
また、本発明の一態様として、前記カバーにフィルターを取り付ける取付体を更に備えるとともに、前記カバーは、フランジ部側に向く内面と間隔を有して対向するように、一端側、及び他端側の縁部から内側に向かって延出した係止片を少なくとも二つ以上備えてなり、前記取付体は、各係止片と内面との間に嵌め込まれる少なくとも二つ以上の取付部と、各取付部同士を連結する弾性変形可能な連結部とで構成され、各係止片と内面との間に各取付部を嵌め込むことで、前記通気穴に対向するフィルターをカバーの内面と連結部とで挟んで保持するように構成されてなることが好ましい。このようにすれば、二つ以上の係止片が、カバーの一端側と他端側に形成されているので、取付体の各取付部を各係止片と内面との間に嵌め込んだ状態で、取付部に対する連結部の連結端が支持された態様となって、フィルターが連結部とカバーの内面とに挟まれて保持されることになる。
【００１８】
このように、取付部を係止片とカバーの内面との間に嵌め込んで、フィルターを連結部とカバーの内面とで挟むようにすると、連結部が各係止片間の直線距離に対応するように寸法設定されるため、連結部を弾性変形させて連結端（取付部）間の直線距離を係止片間の距離よりも短くすることで、係止片とカバーの内面との間への取付部の嵌め込み、取り外しが可能となる。これにより、フィルターの交換を容易に行うことができる。
【発明の効果】
【００１９】
以上のように、本発明にかかるフィルター取付具によれば、既設の換気用グリルにおける埃、塵、油分の付着や、コーティングの有無等に拘わらず、該換気用グリルにフィルターを確実、且つ容易に取り付けることができる。
【発明を実施するための最良の形態】
【００２０】
以下、本発明の一実施形態について、添付図面を参酌しつつ説明する。本実施形態にかかるフィルター取付具は、室外と室内との間で空気の流通を図るべく、被取付面に取り付けられた換気用グリルに取り付けるものである。本実施形態にかかるフィルター取付具の説明に先立って、該フィルター取付具の取り付け対象となる換気用グリルについて概略説明する。
【００２１】
該換気用グリルは、図１に示す如く、一般的に流通されているものであり、被取付面Ｗ（壁面）に取り付けられる本体５と、該本体５に内装され、室内と換気用穴Ｈとの空気の流通、及び遮断を切り替える開閉機構６とで構成されている。
【００２２】
前記本体５は、室外と連通するように壁面Ｗに穿設された換気用穴Ｈに略同心で嵌入される筒状の嵌入部５０と、該嵌入部５０が換気用穴Ｈ内に所定深さ以上入り込まないようにすべく、嵌入部５０の一端開口縁部に延設されたフランジ部５１とで構成されている。
【００２３】
前記開閉機構６は、前記本体５の嵌入部５０に内装され、該嵌入部５０の穴の閉塞、及び開放を行う一対の羽根６０と、該羽根６０を嵌入部５０の穴に対して閉塞状態と開放状態との間で姿勢変更させる姿勢変更機構６１とで構成されている。
【００２４】
各羽根６０は、嵌入部５０の軸線と直交する回転軸６２を備えており、該回転軸６２が嵌入部５０の内周面に枢着されている。また、該羽根６０の回転軸６２には、前記姿勢変更機構６１の一部を構成する第一傘歯車６３が設けられている。
【００２５】
前記姿勢変更機構６１は、前記第一傘歯車６３と、嵌入部５０の軸心回りで回転可能に構成されて第一傘歯車６３に噛合する第二傘歯車６４と、該第二傘歯車６４を回転させる摘部６５とで構成されている。
【００２６】
上記構成の開閉機構６は、摘部６５を操作して第二傘歯車６４を回転させることで、該回転が第一傘歯車６３に伝達されて前記一対の羽根６０が回転軸６２周りで回転し、該一対の羽根６０の姿勢を変更できるようになっている。
【００２７】
上記構成の換気用グリルＧは、前記フランジ部５１が壁面Ｗと対向するように、嵌入部５０を壁面Ｗに形成された換気用穴Ｈに嵌入することで、壁面Ｗに取り付け得るようになっている。すなわち、該換気用グリルＧは、清掃、交換等を容易にできるように、嵌入部５０を換気用穴Ｈに嵌入するだけで壁面Ｗに取り付けることができるようになっている。
【００２８】
次に、本実施形態にかかるフィルター取付具について説明すると、該フィルター取付具は、図２、及び図３に示す如く、換気用グリルＧの嵌入部５０に掛止状態で、壁面Ｗとフランジ部５１との間に介装されるベースプレート１と、前記フランジ部５１を覆うように、ベースプレート１に着脱可能に取り付けられるカバー２とを備えている。
【００２９】
前記ベースプレート１は、金属製の板材で構成されており、壁面Ｗとフランジ部５１との間に介装される介装部１０を備えている。該介装部１０は、外郭が略方形状、或いは略矩形状のプレートで構成されており、一端から略中央部に至る切り欠きからなる凹状の被嵌合部１１が形成されている。該被嵌合部１１は、換気用グリルＧの嵌入部５０に嵌め合わせることができるようになっている。また、該被嵌合部１１の奥部は、嵌入部５０の外周形状に対応して略半円弧状に形状設定されおり、該奥部の一部には、嵌め合した嵌入部５０に対して位置決めを行う第一位置決用突起１２が形成されている。該第一位置決用突起１２は、嵌入部５０の外周面に食い込むように先細りに形成されている。
【００３０】
また、該ベースプレート１には、前記カバー２を取り付ける第一係止部１３と、第二係止部１４とが形成されている。
【００３１】
前記第一係止部１３は、前記介装部１０の他端から該介装部１０の一方の面側に延びる第一接続部１５と、該第一接続部１５の先端から介装部１０の面方向で、且つ外方に向けてに延びる第一係止片１６とで構成されており、前記介装部１０、第一接続部１５、及び第一係止片１６で断面クランク状になっている。これにより、該第一係止部１３は、介装部１０の他方の面を壁面Ｗに当接させた状態で、壁面Ｗと第一係止片１６との間にカバー２の後述する第一被係止部２３が介装される間隙を形成できるようになっている。
【００３２】
前記第二係止部１４は、介装部１０の他端側における両側端部に形成されており、前記第一係止部１３と同様に、一方の面側に延びる第二接続部１７と、該第二接続部１７の先端から介装部１０の面方向で、且つ外方に向けて延びる第二係止片１８とで構成されている。該第二係止部１４は、介装部１０の一部に切り込みが入れられて形成された片を折り曲げ加工することで形成されており、前記第一係止部１３と同様に、断面が略クランク状に形成されている。これにより、該第二係止部１４は、介装部１０の他方の面を壁面Ｗに当接させた状態で、壁面Ｗと第二係止片１８との間にカバー２の後述する第二被係止部２４が介装される間隙を形成できるようになっている。
【００３３】
前記カバー２は、前記ベースプレート１に対応して、外郭が略方形状、或いは略矩形状に形成され、空気を流通させる通気穴である通気窓２０が形成されたカバー本体２１と、前記ベースプレート１（換気用グリルＧのフランジ部５１）と対向するカバー本体２１の内面側に該カバー本体２１の外周端縁部から延出する壁部２２とで構成さている。
【００３４】
カバー２の一端側である前記カバー本体２１の一端から延出する壁部２２の先端には、カバー本体２１に対向するように延出した係止片である前記第一被係止部２３が設けられている。また、カバー本体２１の両側端から延出する壁部２２の先端であって、カバー２の他端側であるカバー本体２１の他端寄りの部位には、カバー本体２１に対向するように延出した係止片である前記第二被係止部２４が設けられている。
【００３５】
該第一被係止部２３、及び第二被係止部２４は、換気用グリルＧのフランジ部５１と壁面Ｗとの間に介装されたベースプレート１の第一係止部１３、及び第二係止部１４と壁面Ｗとの間に形成された間隙の開放した部分から差し込み可能に構成されている。すなわち、前記ベースプレート１及びカバー２は、互いの外周部同士が連結できるように構成されている。
【００３６】
該カバー２は、取付体３を用いることで、シート状のフィルターＦを取り替え可能に取り付け得るようになっている。なお、フィルターＦは、通気性を有して捕塵可能な不織布や紙材等が採用され、本実施形態においては、前記カバー本体２１の内面の外郭形状に対応するように形状設定されている。
【００３７】
前記取付体３は、第一被係止部２３とカバー２の内面との間に嵌め込まれる取付部である第一取付部３０と、第二被係止部２４とカバー２の内面との間に嵌め込まれる取付部である第二取付部３１と、第一取付部３０と第二取付部３１とを連結する連結部３２とを備えている。具体的には、該取付体３は、弾性変形可能な金属製の線材を角形の枠状に形成した枠本体３３と、該枠本体３３を構成する対向する一対の枠材３３ａ，３３ａ同士を連結する弾性変形可能な金属製の線材からなる連結材３４とで構成されている。
【００３８】
前記枠本体３３は、前記連結材３４よって連結された前記一対の枠材３３ａ，３３ａのうちの一方の枠材３３ａが、第一被係止部２３とカバー本体２１（カバー２）の内面との間に嵌め込まれる前記第一取付部３０として機能し、該一方の枠材３３ａの両端に接続された側方の枠材３３ｂ，３３ｂが、第二被係止部２４とカバー本体２１（カバー２）の内面との間に嵌め込まれる前記第二取付部３１、及び該第二取付部３１を第一取付部３０に連結する連結部３２として機能するようになっている。
【００３９】
該枠本体３３は、前記第一取付部３０を第一被係止部２３とカバー本体２１（カバー２）の内面との間に嵌め込むとともに、第二取付部３１を第二被係止部２４とカバー本体２１（カバー２）の内面との間に嵌め込んだ状態で、カバー２からの離脱が防止され、且つフィルターＦの外周縁部をカバー２の内面とともに挟んでフィルターＦを保持するようになっている。
【００４０】
したがって、取付体３（枠本体３３）を上述の如く、カバー２に取り付けると、前記連結材３４についても、フィルターＦをカバー２の内面とともに挟むようになっている。
【００４１】
なお、該取付体３は、第一被係止部２３、及び第二被係止部２４と、カバー本体２１との間への嵌め込み、及び取り外しを行う際に、枠本体３３、及び連結材３４を適宜弾性変形させて第一被係止部２３、及び第二被係止部２４との干渉を防止した状態にして、第一被係止部２３、及び第二被係止部２４と、カバー本体２１との間の間隙に対する嵌め込み、取り外しを行うようになっている。
【００４２】
また、該フィルター取付具は、嵌入部５０に対して掛止状態のベースプレート１が離脱するのを防止するサブプレート４を備えている。
【００４３】
該サブプレート４は、金属製の薄板を折り曲げ加工して形成されており、ベースプレート１の被嵌合部１１の開放部分に嵌め込まれるサブプレート本体４０と、該サブプレート本体４０の両側端に延設され、両面粘着テープＴを介してベースプレート１に連結される連結片４１とで構成されている。該サブプレート本体４０と連結片４１との境界には、段差が形成されており、ベースプレート１における第二係止部１４間に連結片４１を面対向させた状態で、サブプレート本体４０がベースプレート１の被嵌合部１１の開放部分に嵌り込んだ状態となって、該開放部分を閉塞できるようになっている。
【００４４】
また、前記サブプレート本体４０の一端部には、換気用グリルＧの嵌入部５０の外周形状に対応した円弧状の凹部４２が形成されている。該凹部４２を形成する内周には、該サブプレート４を前記ベースプレート１に連結した状態（連結片４１を介装部１０に両面粘着テープＴを介して連結した状態）で、被嵌合部１１に嵌め合わされた嵌入部５０に対して位置決めを行う第二位置決用突起４３が形成されている。該第二位置決用突起４３は、第一位置決用突起１２と同様に、被嵌合部１１に嵌め合わせた嵌入部５０の外周面に食い込むように先細りに形成されている。
【００４５】
上記構成のフィルター取付具を既設の換気用グリルＧに取り付けるには、まず、既設の換気用グリルＧを嵌入部５０の軸線方向に移動させ、壁面Ｗとフランジ部５１との間に隙間を形成する。そして、ベースプレート１の被嵌合部１１が嵌入部５０に嵌め合わされるように、該ベースプレート１を壁面Ｗとフランジ部５１との間の隙間に介装する。そして、サブプレート４の連結片４１を両面粘着テープＴを介してベースプレート１の他端部側に連結し、ベースプレート１とサブプレート４とで嵌入部５０を包囲した状態にし、当該ベースプレート１を換気用グリルＧに対して掛止状態で維持できる（離脱を防止した状態で維持できる）ようにする。
【００４６】
そして、カバー２に対してシート状のフィルターＦを前記取付体３を介して取り付け、第一係止部１３にカバー２の第一被係止部２３を係止させるとともに、第二係止部１４に第二被係止部２４を係止せさることで取り付けが完了する。そうすると、フィルターＦがカバー２の通気窓２０と換気用穴Ｈとの間に介在した状態で既設の換気用グリルに取り付けられた態様になる。なお、この状態において第一係止部１３は、取付体３と第一被係止部２３との間に介装され、第二係止部１４は、取付体３と第二被係止部２４との間に介装された態様となり、取付体３がフィルターＦを介してカバー２の内面と第一被係止部２３、及び第二被係止部２４との間での移動が規制された状態となっている。
【００４７】
以上のように、本実施形態にかかるフィルター取付具によれば、ベースプレート１を壁面Ｗと換気用グリルＧのフランジ部５１との間に介装することで、該ベースプレート１を介してカバー２（フィルターＦ）を取り付け得るように構成されているので、既設の換気用グリルＧに塵や埃、油分等が付着していたり、該換気用グリルＧがコーティングの施されたものであったりしても、何ら影響なく脱落を防止して確実に取り付けることができる。また、ベースプレート１をフランジ部５１と壁面Ｗとの間に介装するだけで、カバー２（フィルターＦ）を取り付けることができ、取り付けが容易である。
【００４８】
また、ベースプレート１に被嵌合部１１を形成するようにしたので、該ベースプレート１を既設の換気用グリルＧに対して容易に掛止状態にすることができ、しかも、該ベースプレート１に連結することで、被嵌合部１１の開放部分を閉塞し、ベースプレート１とともに嵌入部５０を全周に亘って包囲するサブプレート４を設けたので、各方向へのベースプレート１の移動を規制することができ、当該フィルター取付具の取り付けをよりいっそう確実なものにすることができる。
【００４９】
さらに、ベースプレート１に第一位置決用突起１２を設けるとともに、サブプレート４に第二位置決用突起４３を設けたので、一度ベースプレート１を取り付ければ、ベースプレート１、及びサブプレート４がずれることなく、定位置に配置することができる。
【００５０】
さらに、取付体３を枠本体３３と連結材３４とで構成したので、フィルターＦの通気を阻害することなくフィルターＦをカバー２の内面とともに挟んで確実に保持することができる。その上、枠本体３３、及び連結材３４を弾性変形可能な金属製の線材で構成し、該枠本体３３の一方の枠材３３ａを第一被係止部２３とカバー２の内面との間に嵌め込み可能な第一取付部３０として機能させ、該一方の枠材３３ａの両端に接続された枠材３３ｂを、第二被係止部２４とカバー２の内面との間に嵌め込み可能な第二取付部３１として機能させるとともに第一取付部３０と第二取付部３１とを連結する連結部３２として機能させるようにしたので、当該取付体３を弾性変形させることで、カバー２に対する着脱を容易に行うことができる。これにより、フィルターＦの交換を容易に行うことができる。
【００５１】
また、該第一被係止部２３、及び第二被係止部２４をベースプレート１の第一係止部１３、及び第二係止部１４と壁面Ｗとの間に形成される間隙に嵌め込むことでカバー２を取り付けることができるようになっているので、当該カバー２の着脱も容易である。
【００５２】
また、カバー２をフランジ部５１を覆うように構成したので、既設の換気用グリルＧのフランジ部５１の形状に左右されることなく、該カバー２で換気用グリルＧを隠すとともに装飾した状態で取り付けることができる。
【００５３】
尚、本発明のフィルター取付具は、上記実施形態に限定されるものではなく、本発明の要旨を逸脱しない範囲内において種々変更を加え得ることは勿論である。
【００５４】
上記実施形態において、サブプレート４をベースプレート１に連結して換気用グリルＧの嵌入部５０を包囲し、ベースプレート１の取り付けを確実にするようにしたが、これに限定されるものではなく、例えば、換気用グリルＧの嵌入部５０に被嵌合部１１が嵌め合わされるように、単にベースプレート１を壁面Ｗとフランジ部５１との間に介装するようにしてもよい。このようにしても、ベースプレート１を換気用グリルＧ（嵌入部５０）に掛止状態で取り付けることができる。ただし、ベースプレート１の取り付けをより確実にするには、上記実施形態の如く、サブプレート４を設けることが好ましい。
【００５５】
上記実施形態において、ベースプレート１、及びサブプレート４に、第一位置決用突起１２、及び第二位置決用突起４３を設け、換気用グリルＧに対する位置決めを確実にするようにしたが、これに限定されるものではなく、該第一位置決用突起１２、及び第二位置決用突起４３は、必要に応じて設ければよい。
【００５６】
また、上記実施形態において、被嵌合部１１の奥部を半円弧状に形成し、取り付け時において該奥部が嵌入部５０の外周に当接できる態様にしたが、これに限定されるものではなく、例えば、被嵌合部１１を角形に形成し、該被嵌合部１１に嵌入部５０を嵌め合わせた状態で、嵌入部５０の外周が点接触するような態様にしてもよい。このようにしても、ベースプレート１を嵌入部５０（換気用グリルＧ）に対して掛止状態にすることができる。
【００５７】
上記実施形態において、フィルター取付具を壁面Ｗに取り付けられた既設の換気用グリルＧに取り付けるようにしたが、当該フィルター取付具の取り付け対象は、これに限定されるものではなく、例えば、天井面に取り付けられた換気用グリルＧであってもよい。この場合、当該フィルター取付具のベースプレート１は、換気用グリルＧのフランジ部５１に掛止された態様となる。
【００５８】
上記実施形態において、ベースプレート１、及びサブプレート４を金属製の薄板を折り曲げ加工することで形成するようにしたが、これに限定されるものではなく、ベースプレート１、及びサブプレート４は、例えば、上記形状となるように樹脂成形したものであってもよい。
【００５９】
上記実施形態において、ベースプレート１、及びカバー２の外郭を略方形状、或いは略矩形状（角形）に形成したが、これに限定されるものではなく、例えば、ベースプレート１、及びカバー２の外郭形状を円形にするようにしてもよい。この場合、ベースプレート１に対しカバー２を着脱させるべく、ベースプレート１の外周縁部に周方向の一方側に開放部分を形成した係止部（本実施形態における第一係止部１３に相当）を形成するとともに、該第一係止部１３の配置に対応してカバー２の外周縁部に、ベースプレート１の係止部に係合可能な被係止部（本実施形態における第一被係止部２３に相当）を形成し、カバーをベースプレートの中心周りで回転させることで係止部に被係止部が係止される態様等であってもよい。
【００６０】
上記実施形態において、傘歯車６３，６４の駆動により一対の羽根６０を動作させる換気用グリルＧを取り付けの対象にしたが、フィルター取付具の取り付けの対象は、これに限定されるものではなく、羽根６０を開閉させる機構、羽根６０の有無に関係なく、本体５が嵌入部５０とフランジ部５１とを備えたものであればよい。
【００６１】
上記実施形態において、弾性変形可能な枠状の取付体３を設け、該取付体３をカバー２の内面と第一係止部１３、及び第二係止部１４との間に嵌め込むことで、フィルターＦを挟んで保持するようにしたが、カバー２に対するフィルターＦの取り付けは、これに限定されるものではなく、例えば、カバー２の内面に面ファスナーを介してフィルターＦを着脱可能にした構成や、ベースプレート１の外周縁部とカバー２の内面の外周縁部とでフィルターＦを挟んで保持するようにしてもよい。この場合、ベースプレート１の外周縁部、及びカバー２の内面の外周縁部の形状をフィルターＦを挟むことのできる形状にするようにすることは勿論のことである。
【００６２】
上記実施形態において、ベースプレート１にカバー２を取り付けるべく形成された第一被係止部２３、及び第二被係止部２４を取付体３を取り付ける係止片として兼用したが、これに限定されるものではなく、例えば、カバー２にベースプレート１に連結するための係止片と、取付体３の取付部３０，３１を嵌め込む空間を形成する係止片とを別個に形成するようにしてもよい。
【００６３】
また、第二被係止部２４をカバー本体２１の両側端に延設された壁部２２から延出して形成するようにしたが、これに限定されるものではなく、例えば、第二被係止部２４を第一被係止部２３が延出する一方の壁部２２と対向する他方の壁部２２の先端から延出させて形成するようにしても勿論よい。すなわち、ベースプレート１に取り付けるための被係止部、及び取付体を取り付けるための係止片は、カバー２の一端側と、他端側に設ければよい。このように、係止片をカバーの一端側、及び他端側に設けた場合には、上記実施形態において取付部として機能した一方の枠材３３ａ、及び該一方の枠材３３ａと対向する他方の枠材３３ａが取付部と機能することになる。したがって、取付体３についても、上記実施形態に限定されるものではなく、カバー２に設けられた係止片の配置に対応するように二つ以上の取付部を設け、フィルターＦをカバー２の内面とともに挟むことができるように、各取付部を弾性変形可能な連結部で連結すればよい。
【図面の簡単な説明】
【００６４】
【図１】本発明の一実施形態にかかるフィルター取付具を取り付ける既設の換気用グリルの断面図を示す。
【図２】同実施形態にかかるフィルター取付具の分解斜視図を示す。
【図３】同実施形態にかかるフィルター取付具の断面図であって、既設の換気用グリルに取り付けた状態を示す。
【図４】従来のフィルター取付具の断面図であって、既設の換気用グリルに取り付けた状態を示す。
【符号の説明】
【００６５】
１…ベースプレート、２…カバー、３…取付体、４…サブプレート、５…本体、６…開閉機構、１０…介装部、１１…被嵌合部、１２…第一位置決用突起、１３…第一係止部、１３…第一係止部、１４…第二係止部、１５…第一接続部、１６…第一係止片、１７…第二接続部、１８…第二係止片、２０…通気窓（通気穴）、２１…カバー本体、２２…壁部、２３…第一被係止部（係止片）、２４…第二被係止部（係止片）、３０…第一取付部（取付部）、３１…第二取付部（取付部）、３２…連結部、３３…枠本体、３３ａ，３３ｂ…枠材、３４…連結材、４０…サブプレート本体、４１…連結片、４２…凹部、４３…第二位置決用突起、５０…嵌入部、５１…フランジ部、６０…羽根、６１…姿勢変更機構、６２…回転軸、６３…第一傘歯車、６４…第二傘歯車、６５…摘部、Ｆ…フィルター、Ｈ…通気穴、Ｔ…両面粘着テープ、Ｗ…壁面（被取付面）
【図１】
2005083710.tif 000003
【図２】
2005083710.tif 000004
【図３】
2005083710.tif 000005
【図４】
2005083710.tif 000006